(57)【要約】【課題】携帯端末において設定される複数の宛先に対してファクシミリ装置においてファクシミリの同報送信を行うことが可能なファクシミリ送信システム、携帯端末、転送プログラム、及びファクシミリ装置を提供すること。【解決手段】携帯端末２０の転送処理部２５２は、宛先設定処理部２５１により設定される一又は複数の宛先情報を画像形成装置１０に送信する。画像形成装置１０の送信設定処理部１７２は、携帯端末２０から複数の宛先情報を受信した場合に、当該複数の宛先情報を同報送信の宛先として設定する。画像形成装置１０のファクシミリ送信処理部１７３は、取得処理部１７１により取得される画像データに基づいて、送信設定処理部１７２により設定される同報送信の宛先に対してファクシミリの同報送信を行う。【選択図】図１
2019029955.tif 000002
【特許請求の範囲】
【請求項１】
携帯端末とファクシミリ装置とを備え、
前記携帯端末は、
ファクシミリの宛先を示す一又は複数の宛先情報をユーザー操作に応じて設定する宛先設定処理部と、
前記宛先設定処理部により設定される一又は複数の宛先情報を前記ファクシミリ装置に送信する転送処理部とを備え、
前記ファクシミリ装置は、
ファクシミリ送信すべき画像データを取得する取得処理部と、
前記携帯端末から複数の宛先情報を受信した場合に、当該複数の宛先情報を同報送信の宛先として設定する送信設定処理部と、
前記取得処理部により取得される画像データに基づいて、前記送信設定処理部により設定される同報送信の宛先に対してファクシミリの同報送信を行うファクシミリ送信処理部とを備える、
ファクシミリ送信システム。
【請求項２】
前記宛先設定処理部は、前記携帯端末に登録済みの複数の宛先情報の中から選択される宛先情報を、ファクシミリの宛先として設定可能である、
請求項１に記載のファクシミリ送信システム。
【請求項３】
前記宛先設定処理部は、前記携帯端末において手入力される宛先情報を、ファクシミリの宛先として設定可能である、
請求項１又は請求項２に記載のファクシミリ送信システム。
【請求項４】
前記宛先設定処理部は、前記携帯端末の撮像部により撮像される撮像画像から文字認識処理により抽出される宛先情報を、ファクシミリの宛先として設定可能である、
請求項１〜３のいずれかに記載のファクシミリ送信システム。
【請求項５】
前記ファクシミリ装置は、前記携帯端末から受信した宛先情報をアドレス帳に登録する登録処理部を更に備え、
前記登録処理部は、前記携帯端末から受信した宛先情報が前記携帯端末に登録済みの宛先情報である場合は、当該宛先情報を前記アドレス帳に登録し、前記携帯端末から受信した宛先情報が前記携帯端末に登録済みの宛先情報でない場合は、当該宛先情報を前記アドレス帳に登録しない、
請求項１〜４のいずれかに記載のファクシミリ送信システム。
【請求項６】
前記ファクシミリ装置は、ファクシミリの送信履歴情報を記録する記録処理部を更に備え、
前記記録処理部は、前記携帯端末から受信した宛先情報が前記携帯端末に登録済みの宛先情報である場合は、当該宛先情報を含む送信履歴情報を記録し、前記携帯端末から受信した宛先情報が前記携帯端末に登録済みの宛先情報でない場合は、当該宛先情報を含まない送信履歴情報を記録する、
請求項１〜５のいずれかに記載のファクシミリ送信システム。
【請求項７】
前記転送処理部は、前記宛先情報を近距離無線通信により前記ファクシミリ装置に送信する、
請求項１〜６のいずれかに記載のファクシミリ送信システム。
【請求項８】
前記宛先設定処理部は、前記転送処理部が前記宛先情報を前記ファクシミリ装置に送信したあと、前記ユーザー操作に応じて設定された宛先情報を削除する、
請求項１〜７のいずれかに記載のファクシミリ送信システム。
【請求項９】
ファクシミリの宛先を示す複数の宛先情報をユーザー操作に応じて設定する宛先設定処理部と、
前記宛先設定処理部により設定される複数の宛先情報をファクシミリの同報送信の宛先として前記ファクシミリ装置に送信する転送処理部と、
を備える携帯端末。
【請求項１０】
携帯端末のプロセッサーに、
ファクシミリの宛先を示す複数の宛先情報をユーザー操作に応じて設定する宛先設定ステップと、
前記宛先設定ステップで設定される複数の宛先情報をファクシミリの同報送信の宛先として前記ファクシミリ装置に送信する転送ステップと、
を実行させるための転送プログラム。
【請求項１１】
ファクシミリ送信すべき画像データを取得する取得処理部と、
携帯端末から複数の宛先情報を受信した場合に、当該複数の宛先情報を同報送信の宛先として設定する送信設定処理部と、
前記取得処理部により読み取られる画像データに基づいて、前記送信設定処理部により設定される同報送信の宛先に対してファクシミリの同報送信を行うファクシミリ送信処理部と、
を備えるファクシミリ装置。
【発明の詳細な説明】
【技術分野】
【０００１】
本発明は、ファクシミリ送信システム、携帯端末、転送プログラム、及びファクシミリ装置に関する。
【背景技術】
【０００２】
ＭＦＰにおいて行われるファクシミリ送信の宛先を、携帯電話機のアドレス帳に登録されている電話番号、ＦＡＸ番号、及びメールアドレスなどの宛先情報を利用して設定することが可能な通信システムが知られている（例えば、特許文献１参照）。
【先行技術文献】
【特許文献】
【０００３】
【特許文献１】特開２００３−３１９０９３号公報
【発明の概要】
【発明が解決しようとする課題】
【０００４】
前記通信システムでは、携帯電話機のアドレス帳に登録されている複数の通信相手のうちの１人が選択されると、当該通信相手の宛先情報がＭＦＰに送信されて、当該通信相手に対するファクシミリ送信が行われる。
【０００５】
よって、同一の画像データを複数の宛先にファクシミリ送信する場合、前記通信システムでは、携帯電話機における通信相手の選択処理、携帯電話機からＭＦＰへの宛先情報の送信処理、及びＭＦＰにおけるファクシミリ送信処理を、宛先の数だけ繰り返す必要がある。
【０００６】
本発明の目的は、携帯端末において設定される複数の宛先に対してファクシミリ装置においてファクシミリの同報送信を行うことが可能なファクシミリ送信システム、携帯端末、転送プログラム、及びファクシミリ装置を提供することにある。
【課題を解決するための手段】
【０００７】
本発明の一の局面に係るファクシミリ送信システムは、携帯端末とファクシミリ装置とを備える。前記携帯端末は、宛先設定処理部と、転送処理部とを備える。前記宛先設定処理部は、ファクシミリの宛先を示す一又は複数の宛先情報をユーザー操作に応じて設定する。前記転送処理部は、前記宛先設定処理部により設定される一又は複数の宛先情報を前記ファクシミリ装置に送信する。前記ファクシミリ装置は、取得処理部と、送信設定処理部と、ファクシミリ送信処理部とを備える。前記取得処理部は、ファクシミリ送信すべき画像データを取得する。前記送信設定処理部は、前記携帯端末から複数の宛先情報を受信した場合に、当該複数の宛先情報を同報送信の宛先として設定する。前記ファクシミリ送信処理部は、前記取得処理部により取得される画像データに基づいて、前記送信設定処理部により設定される同報送信の宛先に対してファクシミリの同報送信を行う。
【０００８】
本発明の一の局面に係る携帯端末は、前記宛先設定処理部と、前記転送処理部とを備える。
【０００９】
本発明の一の局面に係る転送プログラムは、携帯端末のプロセッサーに、宛先設定ステップと、転送ステップとを実行させる。前記宛先設定ステップでは、ファクシミリの宛先を示す複数の宛先情報がユーザー操作に応じて設定される。前記転送ステップでは、前記宛先設定ステップで設定される複数の宛先情報がファクシミリの同報送信の宛先として前記ファクシミリ装置に送信される。
【００１０】
本発明の一の局面に係るファクシミリ装置は、前記画像読取部と、前記送信設定処理部と、前記ファクシミリ送信処理部とを備える。
【発明の効果】
【００１１】
本発明によれば、携帯端末において設定される複数の宛先に対してファクシミリ装置においてファクシミリの同報送信を行うことが可能なファクシミリ送信システム、携帯端末、転送プログラム、及びファクシミリ装置が提供される。
【図面の簡単な説明】
【００１２】
【図１】図１は、本発明の実施形態に係るファクシミリ送信システムのシステム構成を示すブロック図である。
【図２】図２は、本発明の実施形態に係る携帯端末で実行される転送処理の手順の一例を示すフローチャートである。
【図３】図３は、本発明の実施形態に係る画像形成装置で実行される送信処理の手順の一例を示すフローチャートである。
【図４】図４は、本発明の実施形態に係るファクシミリ送信システムで表示される宛先設定画面の一例を示す図である。
【図５】図５は、本発明の実施形態に係るファクシミリ送信システムで用いられる転送データの一例を示す図である。
【図６】図６は、本発明の実施形態に係るファクシミリ送信システムで表示される送信設定画面の一例を示す図である。
【発明を実施するための形態】
【００１３】
以下添付図面を参照しながら、本発明の実施形態について説明し、本発明の理解に供する。なお、以下の実施形態は、本発明を具体化した一例であって、本発明の技術的範囲を限定するものではない。
【００１４】
図１に示されるように、本発明の実施形態に係るファクシミリ送信システム１は、画像形成装置１０と、携帯端末２０とを備える。画像形成装置１０及び携帯端末２０は、近距離無線通信により通信可能である。画像形成装置１０は、本発明のファクシミリ装置の一例である。
【００１５】
［画像形成装置の構成］
図１に示されるように、画像形成装置１０は、操作表示部１１、ＡＤＦ（Auto Document Feeder）１２、画像読取部１３、画像形成部１４、通信Ｉ／Ｆ１５、記憶部１６、及び制御部１７などを備える。具体的に、画像形成装置１０は、プリンター機能、スキャナー機能、コピー機能、及びファクシミリ機能などを有する複合機である。なお、本発明は、複合機に限らず、ファクシミリ送信機能を備える任意の装置に適用可能である。
【００１６】
操作表示部１１は、情報を表示する液晶ディスプレーなどの表示部と、ユーザー操作を受け付けるタッチパネル及び操作ボタンなどの操作部とを備える。
【００１７】
ＡＤＦ１２は、原稿セット部、搬送ローラー、原稿押さえ、及び排紙部を備え、画像読取部１３の読み取り対象となる原稿を搬送する自動原稿搬送装置である。
【００１８】
画像読取部１３は、原稿台、光源、ミラー、光学レンズ、及びＣＣＤ（Charge Coupled Device）を備え、原稿の画像を読み取って画像データとして出力することが可能である。
【００１９】
画像形成部１４は、電子写真方式又はインクジェット方式で画像データに基づく印刷処理を実行することが可能であり、前記画像データに基づいてシート上に画像を形成する。例えば、画像形成部１４が電子写真方式の画像形成部である場合、画像形成部１４は感光体ドラム、帯電器、露光装置、現像装置、転写装置、及び定着装置などを備える。
【００２０】
通信Ｉ／Ｆ１５は、電話回線、インターネット、又はＬＡＮなどの通信網を介して、外部のファクシミリ装置又はパーソナルコンピューターなどの情報処理装置との間で、通話処理又は所定の通信プロトコルに従った通信処理を実行することが可能な通信インターフェイスである。
【００２１】
記憶部１６は、ハードディスク又はＥＥＰＲＯＭ（登録商標）などの不揮発性の記憶部である。記憶部１６には、制御部１７によって実行される各種の制御プログラム、及び各種のデータなどが記憶される。記憶部１６には、後述のファクシミリ送信処理を制御部１７に実行させるためのファクシミリ送信プログラムが記憶される。
【００２２】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２３】
［携帯端末の構成］
図１に示されるように、携帯端末２０は、操作表示部２１、撮像部２２、通信Ｉ／Ｆ２３、記憶部２４、及び制御部２５などを備える。携帯端末２０は、例えば、スマートフォンである。
【００２４】
操作表示部２１は、情報を表示する液晶ディスプレーなどの表示部と、ユーザー操作を受け付けるタッチパネル及び操作ボタンなどの操作部とを備える。
【００２５】
撮像部２２は、被写体の画像（静止画又は動画）を撮影するデジタルカメラである。
【００２６】
通信Ｉ／Ｆ２３は、電話回線、インターネット、又はＬＡＮなどの通信網を介して、外部のスマートフォン、ウェブサーバー又はパーソナルコンピューターなどの情報処理装置との間で、通話処理又は所定の通信プロトコルに従った通信処理を実行することが可能な通信インターフェイスである。
【００２７】
記憶部２４は、フラッシュメモリーなどの不揮発性の記憶部である。記憶部２４には、制御部２５によって実行される各種の制御プログラム、及び各種のデータなどが記憶される。記憶部２４には、後述の転送処理を制御部２５に実行させるための転送プログラムが記憶される。
【００２８】
制御部２５は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２９】
ところで、本実施形態に関連する技術として、ＭＦＰにおいて行われるファァクシミリ送信の宛先を、携帯電話機のアドレス帳に登録されている電話番号、ＦＡＸ番号、及びメールアドレスなどの宛先情報を利用して設定することが可能な通信システムが知られている。前記通信システムでは、携帯電話機のアドレス帳に登録されている複数の通信相手のうちの１人が選択されると、当該通信相手の宛先情報がＭＦＰに送信されて、当該通信相手に対するファクシミリ送信が行われる。よって、同一の画像データを複数の宛先にファクシミリ送信する場合、前記通信システムでは、携帯電話機における通信相手の選択処理、携帯電話機からＭＦＰへの宛先情報の送信処理、及びＭＦＰにおけるファクシミリ送信処理を、宛先の数だけ繰り返す必要がある。これに対して、本実施形態に係るファクシミリ送信システム１では、携帯端末２０において設定される複数の宛先に対して画像形成装置１０においてファクシミリの同報送信を行うことが可能である。
【００３０】
具体的に、携帯端末２０の制御部２５は、宛先設定処理部２５１、及び転送処理部２５２を含む。なお、制御部２５は、記憶部２４に記憶されている転送プログラムに従って各種の処理を実行することによりこれらの各処理部として機能する。また、制御部２５は、これらの各処理部の一部又は複数の処理機能を実現する電子回路を備えるものであってもよい。
【００３１】
宛先設定処理部２５１は、ファクシミリの宛先を示す一又は複数の宛先情報をユーザー操作に応じて設定する。前記宛先情報は、例えば、電話番号、ファクス番号、電子メールアドレス、ＩＰアドレスなどである。
【００３２】
宛先設定処理部２５１は、携帯端末２０に登録済みの複数の宛先情報の中から選択される宛先情報を、ファクシミリの宛先として設定可能である。例えば、宛先設定処理部２５１は、携帯端末２０の記憶部２４に記憶されているアドレス帳に登録されている宛先情報の中から、ユーザー操作に応じて選択される一又は複数の宛先情報を、ファクシミリの宛先として設定可能である。
【００３３】
また、宛先設定処理部２５１は、携帯端末２０において手入力される宛先情報を、ファクシミリの宛先として設定可能である。例えば、宛先設定処理部２５１は、携帯端末２０の操作表示部２１に表示されるソフトウェアキーボードを通じて手入力される宛先情報を、ファクシミリの宛先として設定可能である。
【００３４】
また、宛先設定処理部２５１は、携帯端末２０の撮像部２２により撮像される撮像画像から文字認識処理により抽出される宛先情報を、ファクシミリの宛先として設定可能である。例えば、宛先設定処理部２５１は、携帯端末２０の撮像部２２により撮像される名刺又はアドレス帳の画像から文字認識処理により抽出される宛先情報を、ファクシミリの宛先として設定可能である。
【００３５】
転送処理部２５２は、宛先設定処理部２５１により設定される一又は複数の宛先情報を画像形成装置１０に送信する。例えば、転送処理部２５２は、Ｂｌｕｅｔｏｏｔｈ（登録商標）のような近距離無線通信により前記宛先情報を画像形成装置１０に送信する。
【００３６】
また、画像形成装置１０の制御部１７は、取得処理部１７１、送信設定処理部１７２、ファクシミリ送信処理部１７３、登録処理部１７４、及び記録処理部１７５を含む。なお、制御部１７は、記憶部１６に記憶されているファクシミリ送信プログラムに従って各種の処理を実行することによりこれらの各処理部として機能する。また、制御部１７は、これらの各処理部の一部又は複数の処理機能を実現する電子回路を備えるものであってもよい。
【００３７】
取得処理部１７１は、ファクシミリ送信すべき画像データを取得する。例えば、取得処理部１７１は、ＡＤＦ１２及び画像読取部１３を制御して、前記原稿セット部にセットされている一又は複数の原稿の画像データを画像読取部１３に読み取らせて、ファクシミリ送信すべき画像データを取得する。
【００３８】
送信設定処理部１７２は、携帯端末２０から複数の宛先情報を受信した場合に、当該複数の宛先情報を同報送信の宛先として設定する。同報送信とは、同一の画像データを複数の宛先に送信することである。
【００３９】
ファクシミリ送信処理部１７３は、取得処理部１７１により取得される画像データに基づいて、送信設定処理部１７２により設定される同報送信の宛先に対してファクシミリの同報送信を行う。これにより、送信設定処理部１７２により設定される同報送信の宛先の各々に、取得処理部１７１により取得される画像データがファクシミリ送信される。
【００４０】
登録処理部１７４は、携帯端末２０から受信した宛先情報を、記憶部１６に記憶されているアドレス帳に登録する。
【００４１】
なお、登録処理部１７４は、携帯端末２０から受信した宛先情報が携帯端末２０に登録済みの宛先情報である場合に、当該宛先情報を前記アドレス帳（すなわち、記憶部１６に記憶されているアドレス帳）に登録してもよい。すなわち、登録処理部１７４は、携帯端末２０から受信した宛先情報が、携帯端末２０の記憶部２４に記憶されているアドレス帳（以下、端末側アドレス帳と称する）から選択された宛先情報である場合に、当該宛先情報を、記憶部１６に記憶されているアドレス帳（以下、装置側アドレス帳と称する）に登録してもよい。これにより、前記端末側アドレス帳に登録済みの宛先情報を、前記装置側アドレス帳に容易に登録することができる。
【００４２】
一方、登録処理部１７４は、携帯端末２０から受信した宛先情報が携帯端末２０に登録済みの宛先情報でない場合には、当該宛先情報を前記装置側アドレス帳に登録しないようにしてもよい。すなわち、登録処理部１７４は、携帯端末２０から受信した宛先情報が、携帯端末２０において手入力された宛先情報又は携帯端末２０の撮像部２２により撮像される撮像画像から文字認識処理により抽出された宛先情報である場合には、当該宛先情報を前記装置側アドレス帳に登録しないようにしてもよい。これにより、セキュリティ上の理由から電子的に記録することが禁止されている宛先情報が、前記装置側アドレス帳に登録されてしまうことを防止することができる。
【００４３】
記録処理部１７５は、ファクシミリの送信履歴情報を記憶部１６に記録する。前記送信履歴情報には、例えば、送信日時、宛先、送信ページ数、送信結果などの情報が含まれる。
【００４４】
なお、記録処理部１７５は、携帯端末２０から受信した宛先情報が携帯端末２０に登録済みの宛先情報である場合に、当該宛先情報を含む送信履歴情報を記録してもよい。一方、記録処理部１７５は、携帯端末２０から受信した宛先情報が携帯端末２０に登録済みの宛先情報でない場合は、当該宛先情報を含まない送信履歴情報（例えば、宛先の欄が空欄になっている送信履歴情報）を記録してもよい。これにより、セキュリティ上の理由から電子的に記録することが禁止されている宛先情報が、送信履歴情報の一部として記憶部１６に記録されてしまうことを防止することができる。
【００４５】
［転送処理］
次に、図２を参照しつつ、携帯端末２０の制御部２５によって実行される転送処理の手順の一例について説明する。ここで、ステップＳ１１，Ｓ１２，・・・は、制御部２５により実行される処理手順（ステップ）の番号を表している。なお、前記転送処理は、例えば、携帯端末２０において前記転送プログラムの実行操作が行われたことに応じて開始される。なお、ユーザーは、画像形成装置１０の近くで前記転送プログラムの実行操作を行ってもよいし、画像形成装置１０から遠く離れた場所で前記転送プログラムの実行操作を行ってもよい。
【００４６】
＜ステップＳ１１＞
まず、ステップＳ１１において、制御部２５は、図４に示されるような宛先設定画面Ｐ１を操作表示部２１に表示させる。宛先設定画面Ｐ１は、ファクシミリの宛先を示す一又は複数の宛先情報をユーザー操作に応じて設定するための画面である。
【００４７】
宛先設定画面Ｐ１には、宛先リスト領域Ａ１、４つの操作キーＫ１〜Ｋ４などが含まれている。宛先リスト領域Ａ１には、ファクシミリの宛先として設定された宛先情報のリスト（以下、宛先リストと称する）が表示される。初期状態では、前記宛先リストには、いずれの宛先情報も含まれていない。操作キーＫ１〜Ｋ３は、前記宛先リストに宛先情報を追加するための操作キーである。操作キーＫ４は、前記宛先リストを画像形成装置１０に転送するための操作キーである。
【００４８】
＜ステップＳ１２＞
ステップＳ１２において、制御部２５は、操作キーＫ１が操作されたか否かを判断する。そして、操作キーＫ１が操作されたと判断されると（Ｓ１２：Ｙｅｓ）、処理がステップＳ１３に移行する。一方、操作キーＫ１が操作されていないと判断されると（Ｓ１２：Ｎｏ）、処理がステップＳ１４に移行する。
【００４９】
＜ステップＳ１３＞
ステップＳ１３において、制御部２５（宛先設定処理部２５１）は、前記端末側アドレス帳に登録されている宛先情報の中から、ユーザー操作に応じて選択される一又は複数の宛先情報を、前記宛先リストに追加する。例えば、制御部２５は、前記端末側アドレス帳に登録済みの宛先情報の一覧を操作表示部２１に表示して、宛先情報の選択操作を受け付ける。そして、制御部２５は、前記選択操作により選択された一又は複数の宛先情報を、前記宛先リストに追加する。当該ステップＳ１３は、本発明の宛先設定ステップの一例である。
【００５０】
＜ステップＳ１４＞
ステップＳ１４において、制御部２５は、操作キーＫ２が操作されたか否かを判断する。そして、操作キーＫ２が操作されたと判断されると（Ｓ１４：Ｙｅｓ）、処理がステップＳ１５に移行する。一方、操作キーＫ２が操作されていないと判断されると（Ｓ１４：Ｎｏ）、処理がステップＳ１６に移行する。
【００５１】
＜ステップＳ１５＞
ステップＳ１５において、制御部２５（宛先設定処理部２５１）は、携帯端末２０において手入力される宛先情報を、前記宛先リストに追加する。例えば、制御部２５は、ソフトウェアキーボードを操作表示部２１に表示して、ソフトウェアキーボードを用いた宛先情報の入力操作を受け付ける。そして、制御部２５は、前記入力操作により入力された宛先情報を、前記宛先リストに追加する。当該ステップＳ１５は、本発明の宛先設定ステップの一例である。
【００５２】
＜ステップＳ１６＞
ステップＳ１６において、制御部２５は、操作キーＫ３が操作されたか否かを判断する。そして、操作キーＫ３が操作されたと判断されると（Ｓ１６：Ｙｅｓ）、処理がステップＳ１７に移行する。一方、操作キーＫ３が操作されていないと判断されると（Ｓ１６：Ｎｏ）、処理がステップＳ１８に移行する。
【００５３】
＜ステップＳ１７＞
ステップＳ１７において、制御部２５（宛先設定処理部２５１）は、撮像部２２により撮像される撮像画像から文字認識処理により抽出される宛先情報を、前記宛先リストに追加する。例えば、制御部２５は、撮像部２２により撮像される撮像画像を操作表示部２１に表示して、撮影操作を受け付ける。そして、制御部２５は、前記撮影操作が行われた時点の撮像画像に対して文字認識処理を行って、前記撮像画像から宛先情報を抽出する。そして、制御部２５は、抽出された宛先情報を、前記宛先リストに追加する。当該ステップＳ１７は、本発明の宛先設定ステップの一例である。
【００５４】
＜ステップＳ１８＞
ステップＳ１８において、制御部２５は、操作キーＫ４が操作されたか否かを判断する。そして、操作キーＫ４が操作されたと判断されると（Ｓ１８：Ｙｅｓ）、処理がステップＳ１９に移行する。一方、操作キーＫ４が操作されていないと判断されると（Ｓ１８：Ｎｏ）、処理が前記ステップＳ１２に戻る。
【００５５】
＜ステップＳ１９＞
ステップＳ１９において、制御部２５（転送処理部２５２）は、前記宛先リストに含まれる全ての宛先情報を、通信Ｉ／Ｆ２３を通じて画像形成装置１０に送信する。例えば、制御部２５は、図５に示されるような転送データＤ１を、近距離無線通信により画像形成装置１０に送信する。転送データＤ１には、前記宛先リストに含まれる全ての宛先情報が含まれている。また、転送データＤ１には、宛先情報各々について、当該宛先情報の設定方法を示す情報が含まれている。例えば、図５に示される転送データＤ１において、宛先Ａに対応する設定方法は「カメラ」となっている。これは、宛先Ａが前記ステップＳ１７で前記宛先リストに追加された宛先情報であることを示している。また、図５に示される転送データＤ１において、宛先Ｂに対応する設定方法は「手入力」となっている。これは、宛先Ｂが前記ステップＳ１５で前記宛先リストに追加された宛先情報であることを示している。また、図５に示される転送データＤ１において、宛先Ｃ及び宛先Ｄに対応する設定方法は「アドレス帳」となっている。これは、宛先Ｃ及び宛先Ｄが前記ステップＳ１３で前記宛先リストに追加された宛先情報であることを示している。当該ステップＳ１９は、本発明の転送ステップの一例である。
【００５６】
なお、前記ステップＳ１１〜Ｓ１７の処理の実行時には、携帯端末２０が画像形成装置１０から遠く離れた場所に位置していても構わないが、当該ステップＳ１９の処理の実行時には、携帯端末２０が画像形成装置１０の近く（すなわち、画像形成装置１０との近距離無線通信が可能な範囲）に位置している必要がある。
【００５７】
前記ステップＳ１９の処理が完了すると、前記転送処理は終了する。前記転送処理が終了すると、制御部２５（宛先設定処理部２５１）は、転送が終了した前記宛先リストの宛先情報を削除してもよい。これにより、ユーザーが前記宛先リストに宛先情報を新たに追加して画像形成装置１０に転送する際に、転送済の宛先情報が重複して送信されてしまうことを防止できる。
【００５８】
［ファクシミリ送信処理］
次に、図３を参照しつつ、画像形成装置１０の制御部１７によって実行されるファクシミリ送信処理の手順の一例について説明する。ここで、ステップＳ２１，Ｓ２２，・・・は、制御部１７により実行される処理手順（ステップ）の番号を表している。なお、前記ファクシミリ送信処理は、例えば、画像形成装置１０において特定操作が行われたことに応じて開始される。前記特定操作は、例えば、携帯端末２０と連携してファクシミリ送信を行う連携送信モードを開始させるための特定の操作キー（操作表示部１１に設けられたハードキー又はソフトキー）の操作である。
【００５９】
＜ステップＳ２１＞
まず、ステップＳ２１において、制御部１７は、携帯端末２０から一又は複数の宛先情報を受信する。すなわち、制御部１７は、携帯端末２０において前記ステップＳ１９で送信された宛先情報を、通信Ｉ／Ｆ１５を通じて受信する。例えば、制御部１７は、図５に示される転送データＤ１を、近距離無線通信により携帯端末２０から受信する。
【００６０】
＜ステップＳ２２＞
ステップＳ２２において、制御部１７は、携帯端末２０から複数の宛先情報を受信したか否かを判断する。そして、携帯端末２０から複数の宛先情報を受信したと判断されると（Ｓ２２：Ｙｅｓ）、処理がステップＳ２４に移行する。一方、携帯端末２０から１つの宛先情報しか受信していないと判断されると（Ｓ２２：Ｎｏ）、処理がステップＳ２３に移行する。
【００６１】
＜ステップＳ２３＞
ステップＳ２３において、制御部１７（送信設定処理部１７２）は、携帯端末２０から受信した宛先情報を、ファクシミリ送信の宛先として設定する。そして、処理がステップＳ２６に移行する。
【００６２】
＜ステップＳ２４＞
一方、ステップＳ２４において、制御部１７（送信設定処理部１７２）は、携帯端末２０から受信した複数の宛先情報を、ファクシミリ送信の同報送信の宛先として設定する。
【００６３】
＜ステップＳ２５＞
ステップＳ２５において、制御部１７は、図６に示されるような確認画面Ｐ２を操作表示部１１に表示させる。確認画面Ｐ２には、宛先表示領域Ａ２、５つの操作キーＫ５〜Ｋ９などが含まれている。
【００６４】
宛先表示領域Ａ２には、ファクシミリの宛先を示す一又は複数の宛先情報が表示される。例えば、前記ステップＳ２３でファクシミリ送信の宛先が設定された場合には、宛先表示領域Ａ２には１つの宛先情報が表示される。一方、前記ステップＳ２４で同報送信の宛先が設定された場合には、宛先表示領域Ａ２には複数の宛先情報が表示される。なお、図６に示される確認画面Ｐ２では、図５に示される転送データに含まれる４つの宛先情報のうちの宛先Ａ、宛先Ｂ、及び宛先Ｃが、宛先表示領域Ａ２に表示されており、残りの宛先Ｄは、スクロール操作に応じて宛先表示領域Ａ２に表示される。
【００６５】
操作キーＫ５は、ファクシミリ送信の宛先を追加するための操作キーである。ユーザーは、操作キーＫ５を操作した後、例えば前記装置側アドレス帳に登録済みの宛先情報の中から任意の宛先情報を選択して、当該宛先情報をファクシミリ送信の宛先として追加することができる。
【００６６】
操作キーＫ６は、宛先表示領域Ａ２に表示されている宛先情報の中から任意の宛先情報を削除するための操作キーである。
【００６７】
操作キーＫ７〜Ｋ９は、ファクシミリ送信の送信条件を必要に応じてデフォルト条件から所望の条件に変更するための操作キーである。
【００６８】
＜ステップＳ２６＞
ステップＳ２６において、制御部１７は、送信開始操作が行われたか否かを判断する。前記送信開始操作は、例えば、操作表示部１１に設けられているスタートキーの操作である。そして、前記送信開始操作が行われたと判断されると（Ｓ２６：Ｙｅｓ）、処理がステップＳ２８に移行する。一方、前記送信開始操作が行われていないと判断されると（Ｓ２６：Ｎｏ）、前記送信開始操作が行われたと判断されるまで、当該ステップＳ２６の処理が繰り返される。
【００６９】
＜ステップＳ２７＞
ステップＳ２７において、制御部１７は、ファクシミリ送信を実行する。例えば、制御部１７（取得処理部１７１）は、ＡＤＦ１２及び画像読取部１３を制御して、前記原稿セット部にセットされている一又は複数の原稿の画像データを画像読取部１３に読み取らせて、ファクシミリ送信すべき画像データを取得する。そして、制御部１７（ファクシミリ送信処理部１７３）は、画像読取部１３により読み取られた画像データに基づいてファクシミリ送信を実行する。
【００７０】
例えば、前記ステップＳ２３でファクシミリ送信の宛先が設定された場合には、制御部１７（ファクシミリ送信処理部１７３）は、画像読取部１３により読み取られた画像データを、前記ステップＳ２３で設定された宛先にファクシミリ送信する。
【００７１】
一方、前記ステップＳ２４でファクシミリ送信の宛先が設定された場合には、制御部１７は、画像読取部１３により読み取られた画像データを、制御部１７の前記ＲＡＭ又は記憶部１６に一旦記憶させる。そして、制御部１７（ファクシミリ送信処理部１７３）は、前記ＲＡＭ又は記憶部１６に記憶されている画像データに基づいて、前記ステップＳ２４で設定された同報送信の宛先各々に順次にファクシミリ送信する。
【００７２】
＜ステップＳ２８＞
ステップＳ２８において、制御部１７（記録処理部１７５）は、前記ステップＳ２７で行われたファクシミリの送信履歴情報を記憶部１６に記録する。このとき、制御部１７は、前記ステップＳ２７でファクシミリ送信された宛先情報のうち、携帯端末２０に登録済みの宛先情報については、当該宛先情報を含む送信履歴情報を記録し、携帯端末２０に登録済みでない宛先情報については、当該宛先情報を含まない送信履歴情報（例えば、宛先の欄が空欄になっている送信履歴情報）を記録してもよい。例えば、制御部１７は、図５に示される転送データＤ１において、設定方法が「アドレス帳」となっている宛先情報（ここでは宛先Ｃ及び宛先Ｄ）については、当該宛先情報を含む送信履歴情報を記録する。一方、制御部１７は、転送データＤ１において、設定方法が「手入力」又は「カメラ」となっている宛先情報（ここでは宛先Ａ及び宛先Ｂ）については、当該宛先情報を含まない送信履歴情報を記録する。
【００７３】
＜ステップＳ２９＞
ステップＳ２９において、制御部１７（登録処理部１７４）は、前記ステップＳ２７でファクシミリ送信された宛先情報を前記装置側アドレス帳に登録する。このとき、制御部１７は、前記ステップＳ２７でファクシミリ送信された宛先情報のうち、携帯端末２０に登録済みの宛先情報のみを前記装置側アドレス帳に登録してもよい。例えば、制御部１７は、図５に示される転送データＤ１において、設定方法が「アドレス帳」となっている宛先情報（ここでは宛先Ｃ及び宛先Ｄ）については、前記装置側アドレス帳に登録する。一方、制御部１７は、転送データＤ１において、設定方法が「手入力」又は「カメラ」となっている宛先情報（ここでは宛先Ａ及び宛先Ｂ）については、前記装置側アドレス帳に登録しない。
【００７４】
以上のように、本実施形態に係るファクシミリ送信システム１によれば、携帯端末２０から画像形成装置１０に複数の宛先情報が送信された場合に、当該複数の宛先情報がファクシミリの同報送信の宛先として設定される。よって、携帯端末２０において設定される複数の宛先に対して画像形成装置１０においてファクシミリの同報送信を行うことが可能である。
【００７５】
また、本実施形態では、携帯端末２０において、前記端末側アドレス帳から前記宛先リストに宛先情報を追加することに加えて、手入力により前記宛先リストに宛先情報を追加することが可能である。よって、例えば、画像形成装置１０から遠く離れた場所に厳重に保管されている持ち出し不可能な書類（名刺、アドレス帳など）に記載されている宛先情報を、手入力により前記宛先リストに追加してから画像形成装置１０の近くまで移動して画像形成装置１０に転送することが可能である。よって、そのような宛先情報をメモ用紙などに手書きする手間を省くことができる。
【００７６】
また、本実施形態では、携帯端末２０において、撮像部２２により撮像される撮像画像から文字認識処理により抽出される宛先情報を前記宛先リストに追加することが可能である。よって、名刺、アドレス帳などの書類に記載されている宛先情報を手入力する手間を省くことができる。
【００７７】
［変形例］
なお、他の実施形態では、携帯端末２０から画像形成装置１０に一又は複数の宛先情報が送信された後に、一又は複数の新たな宛先情報が携帯端末２０から画像形成装置１０に追加で送信されてもよい。
【００７８】
例えば、画像形成装置１０において、先に受信された一又は複数の宛先情報と後に受信された一又は複数の宛先情報とを含む複数の宛先情報が、同報送信の宛先として設定されてもよい。この場合、宛先設定処理部２５１は、ユーザー操作に応じて前記宛先リストに追加された宛先情報が転送処理部２５２によって画像形成装置１０に転送された後、前記宛先リストに含まれる宛先情報を削除してもよい。これにより、転送済みの宛先情報が重複して転送されることを防止することができる。
【００７９】
また、例えば、画像形成装置１０において、先に受信された一又は複数の宛先情報が破棄され、後に受信された一又は複数の宛先情報が、ファクシミリ送信の宛先として設定されてもよい。
【００８０】
また、他の実施形態では、転送データＤ１に含まれる設定方法ごとに（すなわち、「アドレス帳」、「手入力」、「カメラ」ごとに）、前記装置側アドレス帳に登録すべきか否かをユーザーが個別に設定できるように構成されてもよい。
【００８１】
また、他の実施形態では、転送データＤ１に含まれる設定方法ごとに（すなわち、「アドレス帳」、「手入力」、「カメラ」ごとに）、送信履歴情報に宛先情報を含めるべきか否かをユーザーが個別に設定できるように構成されてもよい。
【００８２】
また、他の実施形態では、宛先情報に加えて、他の情報（例えば、送信条件を示す情報、宛先の名称、ユーザー識別情報、ファクシミリ送信すべき原稿のデータなど）が携帯端末２０から画像形成装置１０に送信されてもよい。
【符号の説明】
【００８３】
１  ファクシミリ送信システム
１０  画像形成装置
１１  操作表示部
１２  ＡＤＦ
１３  画像読取部
１７  制御部
１７１  取得処理部
１７２  送信設定処理部
１７３  ファクシミリ送信処理部
１７４  登録処理部
１７５  記録処理部
２０  携帯端末
２１  操作表示部
２２  撮像部
２５  制御部
２５１  宛先設定処理部
２５２  転送処理部
【図１】
2019029955.tif 000003
【図２】
2019029955.tif 000004
【図３】
2019029955.tif 000005
【図４】
2019029955.tif 000006
【図５】
2019029955.tif 000007
【図６】
2019029955.tif 000008